(57)【要約】【課題】ＳＮＳ等のコミュニケーション手段を活用して、ユーザによる電子コンテンツの視聴を効果的に支援する。【解決手段】モバイル端末１０は、ユーザＡが番組の録画を予約した場合に、録画予約された番組を示すＵＲＬを付加したコメントをミニブログサーバ１８へ送信する。モバイル端末１４は、ミニブログサーバ１８から提供されたミニブログサイトのウェブページを画面に表示させる。その画面でユーザＢがコメントに付加された上記のＵＲＬを選択した場合、モバイル端末１４は、上記のＵＲＬにより識別される番組の録画を予約するための画面を表示させる。【選択図】図１
2016174249.tif 000002
【特許請求の範囲】
【請求項１】
ユーザの操作に応じて、番組の録画予約を実行する録画予約部と、
本装置で録画予約された番組を示すＵＲＬであって、他装置で表示された所定のウェブページの画面で選択された場合に当該番組の録画予約画面を表示させるためのＵＲＬを付加したコメントを、前記ウェブページを提供する所定のウェブサイトへ投稿するコメント投稿部と、
を備えることを特徴とする情報処理装置。
【請求項２】
前記コメント投稿部は、番組に対する録画予約以外の所定操作が入力された場合も当該番組に関するコメントを前記ウェブサイトへ投稿し、当該番組が放送済である場合は当該番組を示すＵＲＬを前記コメントに付加することを抑制することを特徴とする請求項１に記載の情報処理装置。
【請求項３】
コメントが投稿される所定のウェブサイトのウェブページを画面に表示させるウェブページ表示部と、
前記ウェブページを表示した画面で、ユーザが或るコメントに付加されたＵＲＬであって、他装置で録画予約された番組を示すＵＲＬを選択した場合に、そのＵＲＬにより識別される番組の録画予約画面を表示させる番組情報表示部と、
を備えることを特徴とする情報処理装置。
【請求項４】
前記ウェブページ表示部と前記番組情報表示部は、異なるアプリケーションにより実現され、
前記ウェブページ表示部は、ユーザが前記ＵＲＬを選択した場合に前記番組情報表示部を実現するためのアプリケーションが未導入であれば、当該アプリケーションの導入を促すためのウェブページを表示させることを特徴とする請求項３に記載の情報処理装置。
【請求項５】
ユーザの操作に応じて、番組の録画予約を実行するステップと、
本装置で録画予約された番組を示すＵＲＬであって、他装置で表示された所定のウェブページの画面で選択された場合に当該番組の録画予約画面を表示させるためのＵＲＬを付加したコメントを、前記ウェブページを提供する所定のウェブサイトへ投稿するステップと、
をコンピュータが実行することを特徴とする録画予約支援方法。
【請求項６】
コメントが投稿される所定のウェブサイトのウェブページを画面に表示させるステップと、
前記ウェブページを表示した画面で、ユーザが或るコメントに付加されたＵＲＬであって、他装置で録画予約された番組を示すＵＲＬを選択した場合に、そのＵＲＬにより識別される番組の録画予約画面を表示させるステップと、
をコンピュータが実行することを特徴とする録画予約支援方法。
【請求項７】
ユーザの操作に応じて、番組の録画予約を実行する機能と、
本装置で録画予約された番組を示すＵＲＬであって、他装置で表示された所定のウェブページの画面で選択された場合に当該番組の録画予約画面を表示させるためのＵＲＬを付加したコメントを、前記ウェブページを提供する所定のウェブサイトへ投稿する機能と、
をコンピュータに実現させるためのコンピュータプログラム。
【請求項８】
コメントが投稿される所定のウェブサイトのウェブページを画面に表示させる機能と、
前記ウェブページを表示した画面で、ユーザが或るコメントに付加されたＵＲＬであって、他装置で録画予約された番組を示すＵＲＬを選択した場合に、そのＵＲＬにより識別される番組の録画予約画面を表示させる機能と、
をコンピュータに実現させるためのコンピュータプログラム。
【発明の詳細な説明】
【技術分野】
【０００１】
この発明は、データ処理技術に関し、特に情報処理装置および録画予約支援方法に関する。
【背景技術】
【０００２】
本出願人は、電子コンテンツの視聴を支援する技術を提案している（例えば特許文献１参照）。また近年は、ＳＮＳ（Social Networking Service）の利用者が増加している。ＳＮＳとして、ユーザが時々の思いや考えを記した短文のコメントを投稿し、その投稿コメントを他のユーザが閲覧できるミニブログと呼ばれるサービスがある。
【先行技術文献】
【特許文献】
【０００３】
【特許文献１】特開２０１３−０１２９５４号公報
【発明の概要】
【発明が解決しようとする課題】
【０００４】
ミニブログ等のＳＮＳの普及により、個々のユーザが他者や社会へ情報を発信する手段が多様化している。本発明者は、ＳＮＳ等のコミュニケーション手段を活用することで、ユーザによる電子コンテンツの視聴を一層効果的に支援できる余地があると考えた。
【０００５】
本発明は、本発明者の上記認識にもとづきなされたものであり、主たる目的は、ＳＮＳ等のコミュニケーション手段を活用して、ユーザによる電子コンテンツの視聴を効果的に支援する技術を提供することである。
【課題を解決するための手段】
【０００６】
上記課題を解決するために、本発明のある態様の情報処理装置は、ユーザの操作に応じて、番組の録画予約を実行する録画予約部と、本装置で録画予約された番組を示すＵＲＬであって、他装置で表示された所定のウェブページの画面で選択された場合に当該番組の録画予約画面を表示させるためのＵＲＬを付加したコメントを、ウェブページを提供する所定のウェブサイトへ投稿するコメント投稿部と、を備える。
【０００７】
本発明の別の態様もまた、情報処理装置である。この装置は、コメントが投稿される所定のウェブサイトのウェブページを画面に表示させるウェブページ表示部と、ウェブページを表示した画面で、ユーザが或るコメントに付加されたＵＲＬであって、他装置で録画予約された番組を示すＵＲＬを選択した場合に、そのＵＲＬにより識別される番組の録画予約画面を表示させる番組情報表示部と、を備える。
【０００８】
本発明のさらに別の態様は、録画予約支援方法である。この方法は、ユーザの操作に応じて、番組の録画予約を実行するステップと、本装置で録画予約された番組を示すＵＲＬであって、他装置で表示された所定のウェブページの画面で選択された場合に当該番組の録画予約画面を表示させるためのＵＲＬを付加したコメントを、ウェブページを提供する所定のウェブサイトへ投稿するステップと、をコンピュータが実行する。
【０００９】
本発明のさらに別の態様もまた、録画予約支援方法である。この方法は、コメントが投稿される所定のウェブサイトのウェブページを画面に表示させるステップと、ウェブページを表示した画面で、ユーザが或るコメントに付加されたＵＲＬであって、他装置で録画予約された番組を示すＵＲＬを選択した場合に、そのＵＲＬにより識別される番組の録画予約画面を表示させるステップと、をコンピュータが実行する。
【００１０】
なお、以上の構成要素の任意の組合せ、本発明の表現を、システム、プログラム、プログラムを格納した記録媒体などの間で変換したものもまた、本発明の態様として有効である。
【発明の効果】
【００１１】
本発明によれば、ＳＮＳ等のコミュニケーション手段を活用して、ユーザによる電子コンテンツの視聴を効果的に支援することができる。
【図面の簡単な説明】
【００１２】
【図１】実施の形態のエンタテインメントシステムの構成を示す図である。
【図２】図１のモバイル端末の構成を示すブロック図である。
【図３】番組表の表示例を示す図である。
【図４】録画リストの表示例を示す図である。
【図５】図５（ａ）は録画予約操作に対するコメントフォーマットを示す図であり、図５（ｂ）は録画予約時に生成されるコメント例を示す図である。
【図６】図６（ａ）は図４の録画リスト画面に対するコメントフォーマットを示す図であり、図６（ｂ）は録画リスト画面におけるコメント投稿操作時に生成されるコメント例を示す図である。
【図７】エンタテインメントシステムの動作を示すフローチャートである。
【図８（ａ）】エンタテインメントシステムの動作を示すフローチャートである。
【図８（ｂ）】エンタテインメントシステムの動作を示すフローチャートである。
【発明を実施するための形態】
【００１３】
実施の形態のエンタテインメントシステムでは、ユーザがモバイル端末にて番組の録画予約を行うと、その番組を示すＵＲＬを付加したコメントをミニブログサイトへ投稿する。ミニブログサイトをモバイル端末で閲覧するユーザが、コメント内の上記ＵＲＬを選択すると、モバイル端末は上記ＵＲＬにより識別される番組を録画予約するための画面を表示させる。これにより、ミニブログの閲覧者は、コメントの閲覧中に興味を持った番組があれば、その番組の録画予約を簡単な操作で行うことができる。
【００１４】
図１は、実施の形態のエンタテインメントシステム１００の構成を示す。エンタテインメントシステム１００は、ユーザＡが所有するモバイル端末１０と録画装置１２、ユーザＢが所有するモバイル端末１４と録画装置１６を備え、さらに、ミニブログサーバ１８と録画支援サーバ２０を備える。これらの装置は、ＬＡＮ・ＷＡＮ・インターネット等を含む有線または無線の通信網２２を介して接続される。モバイル端末１０と録画装置１２、またモバイル端末１４と録画装置１６は、各ユーザ宅のホームネットワーク（家庭内ＬＡＮ）を介して接続されてもよい。
【００１５】
モバイル端末１０とモバイル端末１４は、スマートフォン、タブレット端末、携帯型ゲーム機であってもよい。録画装置１２と録画装置１６は、不図示のアンテナと接続され、またチューナやハードディスクを内蔵した映像録画再生機である。録画装置１２と録画装置１６は、ユーザのモバイル端末と通信し、モバイル端末に対するユーザの録画予約操作で指定された番組の録画処理を、その操作で指定された日時に実行する。
【００１６】
ミニブログサーバ１８は、インターネットを介してミニブログサイトを公開する情報処理装置（ウェブサーバ等）である。例えばミニブログサーバ１８は、ミニブログサイトに登録されたコメントを含むウェブページを各ユーザの端末へ提供する。また、各ユーザの端末から投稿されたコメントをミニブログサイトへ登録する。コメントは、ツイートとも呼ばれる比較的短い（例えば１４０字以内の）文字列であってもよい。
【００１７】
録画支援サーバ２０は、番組の録画予約を支援し、言い換えれば、モバイル端末におけるユーザの録画予約操作を支援する情報処理装置（ウェブサーバ等）である。録画支援サーバ２０は、ユーザのモバイル端末から特殊ＵＲＬ（後述）を指定したＨＴＴＰリクエストを受け付けると、そのモバイル端末へ録画予約支援スクリプト（後述）を提供する。
【００１８】
図２は、図１のモバイル端末１０の構成を示すブロック図である。本明細書の各ブロックは、ハードウェア的には、コンピュータのＣＰＵやメモリをはじめとする素子や電子回路、機械装置で実現でき、ソフトウェア的にはコンピュータプログラム等によって実現されるが、ここでは、それらの連携によって実現される機能ブロックを描いている。したがって、これらの機能ブロックはハードウェア、ソフトウェアの組合せによっていろいろなかたちで実現できることは、当業者には理解されるところである。
【００１９】
モバイル端末１０は、制御部３０、記憶部３２、通信部３４、ＬＣＤ３５を備える。モバイル端末１４の構成もモバイル端末１０と同じであるが、通信相手の録画装置が録画装置１６である点で異なる。制御部３０は、各種のデータ処理を実行し、モバイル端末１０の動作を制御する。記憶部３２は、制御部３０により参照または更新されるデータを記憶する記憶領域である。
【００２０】
通信部３４は、様々な通信プロトコルにしたがって、通信網２２を介して外部装置と通信する。制御部３０は、通信部３４を介して外部装置とデータを送受する。ＬＣＤ３５は、モバイル端末１０のユーザインタフェースとなる液晶ディスプレイであり、タッチパネルの機能も備える。モバイル端末１０は、ＬＣＤ３５に代えて、有機ＥＬディスプレイ等、他の種類の表示装置を備えてもよいことはもちろんである。
【００２１】
記憶部３２は、番組表保持部３６と録画情報保持部３８を含む。番組表保持部３６は、番組表のデータを記憶する。録画情報保持部３８は、録画情報として、録画装置１２に対して番組の録画を予約した履歴と、録画装置１２により録画された番組に関する情報とを記憶する。なお、番組表データおよび録画情報をモバイル端末１０のローカルに記憶する構成に代えて、録画装置１２が保持する番組表データおよび録画情報をモバイル端末１０が参照する構成としてもよい。
【００２２】
制御部３０は、テレビ視聴処理部４０とウェブブラウザ部４２を含む。テレビ視聴処理部４０は、モバイル端末１０にインストールされたテレビ視聴アプリケーション（以下「テレビ視聴Ａｐｐ」とも呼ぶ。）により実現される。例えば、テレビ視聴Ａｐｐは、ＳＤメモリカード等の所定の記録媒体に格納されて流通され、またはアプリサイトのサーバ等からダウンロードされてモバイル端末１０にインストールされる。そして、モバイル端末１０のストレージに格納されたテレビ視聴Ａｐｐのプログラムをモバイル端末１０のＣＰＵやＧＰＵが実行することにより、モバイル端末１０はテレビ視聴処理部４０の機能を発揮する。同様にウェブブラウザ部４２は、モバイル端末１０にインストールされたウェブブラウザプログラムにより実現される。
【００２３】
テレビ視聴処理部４０は、番組情報表示部４４、録画予約部４６、録画情報表示部４８、コメント生成部５０、コメント投稿部５２を含む。
【００２４】
番組情報表示部４４は、ユーザの操作に応じて、放送番組に関する様々な情報をＬＣＤ３５に表示させる。例えば番組情報表示部４４は、番組表のデータを番組表保持部３６から取得し、ＬＣＤ３５に番組表を表示させる。図３は番組表の表示例を示す。ユーザが、番組表７０上でカーソル７２を移動させ、特定の番組をフォーカスした状態で録画予約用の所定操作を入力すると、番組情報表示部４４は、録画予約ウィンドウ７４を表示させる。ユーザは、録画予約ウィンドウ７４で、コメントを投稿するか否かを選択できる。
【００２５】
番組情報表示部４４は、テレビ視聴ＡｐｐがカスタムＵＲＬまたはＩｎｔｅｎｔにより起動され、番組情報表示を指示する情報と番組ＩＤが入力された場合に、番組表をＬＣＤ３５に表示させる。それとともに番組情報表示部４４は、番組表保持部３６に保持されたデータと番組ＩＤに基づいて、番組ＩＤが示す特定の番組を識別する。そして図３のように、識別した番組を番組表上で選択状態とし、録画予約ウィンドウ７４を表示させる。
【００２６】
図２に戻り、録画予約部４６は、図３に示した録画予約ウィンドウ７４で予約ボタンに対するタップ操作が入力されると、録画予約に関する処理を実行する。例えば、録画予約部４６は、録画情報保持部３８に保持された録画予約履歴に対して録画予約対象の番組情報を追加する。また、録画予約のコマンド及び録画予約対象の番組情報を録画装置１２へ送信し、録画装置１２に録画予約を登録する。
【００２７】
録画情報表示部４８は、録画済の番組、および、録画予定（録画予約済）の番組の情報を録画情報保持部３８から取得し、それらの情報を並べた録画リストをＬＣＤ３５に表示させる。図４は録画リストの表示例を示す。ユーザが録画リスト７６上でカーソル７８を移動させ、特定の番組をフォーカスした状態でメニュー表示を選択すると（言い換えればメニュー表示用の所定操作を入力すると）、録画情報表示部４８は、メニューリスト８０を表示させる。ユーザは、メニューリスト８０上でコメント投稿を選択できる。
【００２８】
図２に戻り、コメント生成部５０は、ユーザの操作に応じて、ミニブログサイトへ投稿するコメントデータを自律的に生成する。コメント生成部５０は、テレビ視聴支援Ａｐｐの画面または当該Ａｐｐに対するユーザの操作に対して予め定められたコメントフォーマットを保持する。図５（ａ）は、録画予約操作に対するコメントフォーマットを示す。コメント生成部５０は、コメントフォーマットにおける中括弧の部分を、録画予約対象の番組情報にしたがって、録画予約時に動的に設定する。図５（ｂ）は、録画予約時に生成されるコメント例を示す。コメント生成部５０は、コメントデータの中に、特殊ＵＲＬ８２を設定する。
【００２９】
特殊ＵＲＬは、録画予約対象の番組を示すＵＲＬである。特殊ＵＲＬは、ミニブログサイトのウェブページを表示したウェブブラウザの画面で選択された場合に当該番組の録画予約画面を表示させる役割も担う。特殊ＵＲＬのホスト名には録画支援サーバ２０のホスト名（固定値、例えば「aaa.ne.jp」）が設定される。また特殊ＵＲＬのパス名には録画支援サーバ２０が提供する録画予約支援スクリプトの識別名称（固定値、例えば「bbbb」）が設定される。ｔｙｐｅパラメータには、ｉｄパラメータで識別される情報の種類、実施の形態では「番組情報」を示す値（固定値、例えば「xxx」）が設定される。
【００３０】
ｉｄパラメータには、録画予約対象の番組の識別情報であり、様々な放送局が様々な日時に放送する複数の番組の中から録画予約対象の番組をユニークに特定可能な番組ＩＤが設定される。番組ＩＤは、放送局、放送日時、番組名、放送時間等を特定可能な情報である。図５（ｂ）の例では「123456789」である。番組ＩＤは、番組表のデータに予め記録され、番組表保持部３６に格納されてもよい。またコメント生成部５０が、番組表のデータに含まれる録画予約対象の番組情報に基づき、所定の規則にしたがって動的に番組ＩＤを生成してもよい。
【００３１】
図６（ａ）は、図４の録画リスト画面に対するコメントフォーマットを示す。図６（ｂ）は、録画リスト画面におけるコメント投稿操作時に生成されるコメント例を示す。コメント生成部５０は、録画リスト画面で選択された番組が録画予約状態であれば、録画予約時と同様に、コメントデータに特殊ＵＲＬを含める。言い換えれば、コメント対象の番組が現時点で未放送（未録画）であれば、コメントデータに特殊ＵＲＬを含める。
【００３２】
その一方、コメント生成部５０は、録画リスト画面で選択された番組が、録画済状態、すなわち現時点で放送済（録画済）であれば、コメントデータに特殊ＵＲＬを付加することを抑制する。言い換えれば、特殊ＵＲＬを含まないコメントデータを生成する。コメント生成部５０は、選択番組の放送日時と、現在日時またはコメント投稿操作入力日時とを比較して、選択番組が放送済か否かを識別してもよい。
【００３３】
図２に戻り、コメント投稿部５２は、コメント生成部５０により生成されたコメントデータをミニブログサーバ１８へ送信することにより、特殊ＵＲＬを含むコメントをユーザＡのコメントとしてミニブログサイトに投稿する。例えば、コメント投稿部５２は、ミニブログサーバ１８が公開するコメント投稿用のＷｅｂＡＰＩにしたがって、コメントデータを含むＨＴＴＰリクエストをミニブログサーバ１８へ送信してもよい。
【００３４】
ウェブブラウザ部４２は、環境判別部５４、アプリ起動部５６、アプリ導入支援部５８を含む。これらの機能は、録画支援サーバ２０からモバイル端末１０に提供されるＪａｖａＳｃｒｉｐｔ（登録商標）プログラムである録画予約支援スクリプト６０に実装される。そして、ウェブブラウザ部４２のスクリプトエンジンが録画予約支援スクリプト６０を実行することで実現される。
【００３５】
環境判別部５４は、モバイル端末１０のシステム環境を判別する。具体的には、環境判別部５４は、モバイル端末１０の所定の記憶領域を参照して、テレビ視聴Ａｐｐがインストールされているか否かを判定するとともに、ＯＳの種類を判定する。
【００３６】
アプリ起動部５６は、カスタムＵＲＬやＩｎｔｅｎｔ等、公知の方法によりテレビ視聴Ａｐｐを起動し、もしくはレジュームする。その際に、アプリ起動部５６は、番組情報表示を指示する情報と、特殊ＵＲＬに設定された番組ＩＤとをテレビ視聴Ａｐｐに渡す。
【００３７】
アプリ導入支援部５８は、テレビ視聴Ａｐｐがモバイル端末１０にインストールされていない場合に、当該アプリケーションのインストールをユーザに促すための画面をＬＣＤ３５に表示させる。具体的には、環境判別部５４による判別結果に応じて、外部のウェブサイトへアクセスし、テレビ視聴Ａｐｐに関するウェブページを表示させる。
【００３８】
以上の構成によるエンタテインメントシステム１００の動作を以下説明する。
図７は、エンタテインメントシステム１００の動作を示すフローチャートである。特にコメント投稿時の動作を示している。ここでは、ユーザＡがモバイル端末１０でテレビ視聴Ａｐｐを起動し、番組情報表示部４４が番組表画面を表示させ、または録画情報表示部４８が録画リスト画面を表示させた状態であることとする。ユーザＡが番組表画面または録画リスト画面で特定の番組を選択し、コメント投稿を指示する操作を入力すると（Ｓ１０のＹ）、コメント生成部５０は、ミニブログサイトへ投稿するコメントを生成する（Ｓ１２）。図３で示したように、番組表画面における録画予約操作である場合、録画予約部４６は、録画予約対象番組の情報を録画装置１２へ送信し、録画予約を登録する。
【００３９】
コメント生成部５０は、画面上での選択番組の放送日時が将来日時であれば、すなわち選択番組が現時点で放送済でなければ（Ｓ１４のＮ）、その選択番組のＩＤを含む特殊ＵＲＬをコメントに付加する（Ｓ１６）。選択番組が放送済または録画された番組であれば（Ｓ１４のＹ）、Ｓ１６をスキップする。コメント投稿部５２は、コメント生成部５０が生成したコメントをミニブログサーバ１８へ送信し、ミニブログサイトへ登録する（Ｓ１８）。ミニブログサーバ１８は、モバイル端末１０から受信したコメントをユーザＡのコメントとしてミニブログサイトで公開する（Ｓ２０）。コメント投稿操作が未入力であれば（Ｓ１０のＮ）、以降の処理をスキップして本図のフローを終了する。
【００４０】
図８（ａ）（ｂ）は、エンタテインメントシステム１００の動作を示すフローチャートである。特にコメント閲覧時の動作を示している。ユーザＢは、モバイル端末１４でウェブブラウザを起動し、ウェブブラウザ部４２は、ミニブログサイトのウェブページを表示させる（Ｓ３０）。ユーザＢがユーザＡのコメントを閲覧し、そのコメントに付加された特殊ＵＲＬをタップすると（Ｓ３２のＹ）、ウェブブラウザ部４２は、録画支援サーバ２０へ特殊ＵＲＬを含むＨＴＴＰリクエストを送信する（Ｓ３４）。録画支援サーバ２０は、特殊ＵＲＬのパス名にしたがって、録画支援スクリプトを含むＨＴＴＰレスポンスをモバイル端末１４へ返信する（Ｓ３６）。特殊ＵＲＬに対するタップ操作が未入力であれば（Ｓ３２のＮ）、以降の処理をスキップし、図８（ａ）（ｂ）のフローを終了する。
【００４１】
モバイル端末１４のウェブブラウザ部４２は、録画支援スクリプトを実行することにより、環境判別部５４、アプリ起動部５６、アプリ導入支援部５８の機能を発揮する。環境判別部５４は、モバイル端末１４のシステム環境を判別する（Ｓ３８）。図８（ｂ）に移り、モバイル端末１４にテレビ視聴Ａｐｐが未導入で（Ｓ４０のＮ）、ＯＳ種別も識別できない場合（Ｓ４２のＮ）、アプリ導入支援部５８は、テレビ視聴Ａｐｐの公式サイトのウェブページを表示させる（Ｓ４４）。ＯＳ種別が識別できた場合は（Ｓ４２のＹ）、識別したＯＳ用のアプリストアのサイトへアクセスし、テレビ視聴Ａｐｐの紹介ページまたはダウンロードページを表示させる（Ｓ４６）。
【００４２】
モバイル端末１４にテレビ視聴Ａｐｐが導入済の場合（Ｓ４０のＹ）、アプリ起動部５６は、テレビ視聴Ａｐｐを起動し、テレビ視聴Ａｐｐに番組ＩＤを渡す（Ｓ４８）。テレビ視聴Ａｐｐの番組情報表示部４４は、番組表保持部３６を検索して、番組ＩＤに合致する番組が存在するか否かを判定する（Ｓ５０）。その際に、最新の番組表のデータを録画装置１６から取得してもよい。番組ＩＤに合致する番組がなければ（Ｓ５２のＮ）、番組情報表示部４４は、エラーメッセージを表示させる（Ｓ５４）。例えば、「番組は放送済か、この地域では放送されていません」等のメッセージを表示させてもよい。合致する番組が存在すれば（Ｓ５２のＹ）、番組情報表示部４４は、番組ＩＤで特定される番組を選択状態にした番組表画面とともに、録画予約ウィンドウ７４を表示させる（Ｓ５６）。
【００４３】
実施の形態のテレビ視聴アプリケーションによると、ミニブログ等のユーザ間でのコミュニケーション手段を活用し、コメント閲覧者が、フレンド等が録画予約した番組に興味を持った場合に、簡単な操作で録画予約できるよう支援できる。例えば、コメントの特殊ＵＲＬをタップし、録画予約ウィンドウ７４の予約ボタンをタップするという少ないステップで録画予約を完了することができる。
【００４４】
またテレビ視聴アプリケーションによると、コメント投稿時点で放送済、録画済の番組に関するコメントには特殊ＵＲＬを付加しない。これにより、コメント閲覧者が特殊ＵＲＬを選択したにも関わらず、番組が放送済であるためエラー表示となってしまうことを抑制できる。また、ウェブブラウザ上で特殊ＵＲＬがタップされた場合に、モバイル端末にテレビ視聴アプリケーションが未導入であれば、当該アプリケーションの情報や、ダウンロードサイト等の情報をウェブブラウザ上に表示させる。これにより、ミニブログサイトのコメントを閲覧したユーザに、テレビ視聴アプリケーションの導入を促し、当該アプリケーションの普及を促進することができる。
【００４５】
以上、本発明を実施の形態をもとに説明した。この実施の形態は例示であり、それらの各構成要素や各処理プロセスの組合せにいろいろな変形例が可能なこと、またそうした変形例も本発明の範囲にあることは当業者に理解されるところである。
【００４６】
第１変形例を説明する。モバイル端末１０およびモバイル端末１４のテレビ視聴処理部４０は、アンケート情報保持部とアンケート表示部をさらに含んでもよい。アンケート情報保持部は、回答を募集中のアンケート（以下「現在アンケート」とも呼ぶ。）の情報と、回答の募集が終了したアンケート（以下「過去アンケート」とも呼ぶ。）の情報を保持する。現在アンケートの情報は、例えばアンケートの識別情報と質問内容であり、過去アンケートの情報は、例えばアンケートの識別情報と回答集計結果である。アンケート表示部は、ユーザが選択した現在アンケートまたは過去アンケートの情報を示す画面であるアンケート画面をＬＣＤ３５に表示させる。
【００４７】
アンケート画面でコメント投稿操作が入力されると、コメント生成部５０は、アンケートに関するコメントを自律的に生成し、アンケートＩＤを含む特殊ＵＲＬをコメントに付加する。特殊ＵＲＬにおけるパラメータのｔｙｐｅにはアンケート示す値を設定し、ｉｄにはアンケートＩＤを設定する。アンケートの場合は、番組情報のコメントとは異なり、現在アンケートであっても過去アンケートであっても、すなわちアンケートの実施日時等に関わらず特殊ＵＲＬを付加する。コメント投稿部５２は、アンケートに関するコメントをミニブログサーバ１８へ投稿する。
【００４８】
以降は実施の形態と同様に、特殊ＵＲＬにてアクセスを受け付けた録画支援サーバ２０は、アンケート閲覧スクリプトを提供する。モバイル端末１０およびモバイル端末１４のウェブブラウザ部４２は、アンケート閲覧スクリプトを実行することで、環境判別部５４、アプリ起動部５６、アプリ導入支援部５８の機能を発揮する。アプリ起動部５６が、テレビ視聴アプリケーションを起動すると、アンケート表示部は、特殊ＵＲＬのアンケートＩＤで特定される現在アンケートまたは過去アンケートの情報を表示させる。
【００４９】
このように実施の形態の技術は、番組情報に限らず、アンケート等、他の情報を、ミニブログを介してユーザ間で共有させ、またその情報の閲覧を支援するために適用できる。また実施の形態の技術は、ミニブログの投稿・閲覧に限らず、他のＳＮＳや、掲示板、ブログ（ウェブログ）の情報を投稿し、閲覧する場合にも適用できる。さらにまた、テレビ視聴アプリケーションの導入装置は、携帯情報端末に限らず、据置型のＰＣやゲーム機等であってもよい。
【００５０】
第２変形例を説明する。図３で示したテレビ視聴Ａｐｐの録画予約ウィンドウ７４では、１つ以上の録画オプションが選択可能であってもよい。録画オプションは、録画処理の態様とも言え、録画処理に関する属性情報とも言える。例えば録画オプションは、繰り返し録画の有無、例えば１回録画（１回きりの録画）か、繰り返し録画（同じタイトルの番組を毎日や毎週繰り返して録画する）かの指定を含んでもよい。また、圧縮率の指定、例えば圧縮なし、２倍、３倍等の指定を含んでもよい。録画予約部４６は、録画予約ウィンドウ７４で指定された録画オプションをさらに録画装置へ通知し、ユーザが所望する態様での番組録画を実行させる。
【００５１】
本変形例のモバイル端末１０のコメント生成部５０は、録画オプションの設定内容を含む特殊ＵＲＬを生成する。具体的には、実施の形態の特殊ＵＲＬに対して録画オプション用のパラメータを付加してもよい。例えば、繰り返し録画の有無を示す繰り返し録画パラメータと、指定された圧縮率を示す圧縮率パラメータを付加してもよい。他の録画オプションがあれば別のパラメータをさらに付加してもよい。
【００５２】
モバイル端末１４のアプリ起動部５６は、特殊ＵＲＬの選択に伴いテレビ視聴Ａｐｐを起動する際に、特殊ＵＲＬに設定された番組ＩＤに加えて、録画オプションのパラメータ値をテレビ視聴Ａｐｐに渡す。モバイル端末１４の番組情報表示部４４は、アプリ起動部５６から渡された録画オプションのパラメータ値にしたがって、録画オプションの内容を自動設定した録画予約ウィンドウ７４を表示させる。この態様によると、図１のユーザＡによる録画オプションの設定内容を、ユーザＢの環境にも自動で引き継ぐことができ、好適な録画オプションの設定を支援できる。例えば、テレビドラマ等、繰り返し放送される番組について、ユーザＡが繰り返し録画を設定した場合、ユーザＢ側でも自動で繰り返し録画が選択された状態にすることができる。
【００５３】
上述した実施の形態および変形例の任意の組み合わせもまた本発明の実施の形態として有用である。組み合わせによって生じる新たな実施の形態は、組み合わされる実施の形態および変形例それぞれの効果をあわせもつ。また、請求項に記載の各構成要件が果たすべき機能は、実施の形態および変形例において示された各構成要素の単体もしくはそれらの連携によって実現されることも当業者には理解されるところである。
【００５４】
なお実施の形態のモバイル端末１０およびモバイル端末１４に関する技術思想は、次のように表現することもできる。すなわち、ユーザが番組の録画を予約した場合に、当該番組を示すＵＲＬを付加したコメントを所定のウェブサイトへ投稿するコメント投稿部と、上記ウェブサイトのウェブページを表示した画面で、ユーザがコメントに付加されたＵＲＬを選択した場合に、そのＵＲＬにより識別される番組の録画を予約するための画面を表示させる番組情報表示部とを備える情報処理装置。
【符号の説明】
【００５５】
１０  モバイル端末、  １４  モバイル端末、  １８  ミニブログサーバ、  ２０  録画支援サーバ、  ４０  テレビ視聴処理部、  ４２  ウェブブラウザ部、  ４４  番組情報表示部、  ４６  録画予約部、  ４８  録画情報表示部、  ５０  コメント生成部、  ５２  コメント投稿部、  ５４  環境判別部、  ５６  アプリ起動部、  ５８  アプリ導入支援部。
【図１】
2016174249.tif 000003
【図２】
2016174249.tif 000004
【図３】
2016174249.tif 000005
【図４】
2016174249.tif 000006
【図５】
2016174249.tif 000007
【図６】
2016174249.tif 000008
【図７】
2016174249.tif 000009
【図８（ａ）】
2016174249.tif 000010
【図８（ｂ）】
2016174249.tif 000011